(57)【要約】【課題】空冷機構が組み込まれた電気機器においてエアフィルタの交換の利便性を向上し、かつ電気機器を小型化する。【解決手段】長時間の使用後には、多くの埃がエアフィルタエレメント３０１に吸着され、エアフィルタエレメント３０１が目詰まりし、冷却風が透過しにくくなり、冷却効率が低下する。エアフィルタエレメント３０１のうち、開口部３２１に対応する部分は目詰まりした状態（目詰まり部３０３）となる。このプロジェクタ１０においては、冷却系駆動部７０がタイマー６１を参照して、ある設定時間を経過した場合には、モータ４０を９０°回転させる。ここで、この設定時間は、このプロジェクタ１０が設置された環境に応じて、このエアフィルタエレメント３０１が目詰まりする時間に対応して予め設定される。【選択図】図５
2009277974.tif 000002
【特許請求の範囲】
【請求項１】
冷却風を吸気口から導入させて電気機器内部を冷却する空冷機構であって、
前記電気機器の一面に回転軸を介して回動自在に前記吸気口を覆って装着される円板状のエアフィルタと、
前記装着されたエアフィルタを覆い、かつ前記冷却風を前記エアフィルタに導入させる開口部が設けられたフィルタ蓋と、
を具備することを特徴とする空冷機構。
【請求項２】
前記エアフィルタにおけるエアフィルタエレメントはプリーツ状に形成されていることを特徴とする請求項１に記載の空冷機構。
【請求項３】
前記回転軸を介して前記エアフィルタを回動させるモータを具備することを特徴とする請求項１又は２に記載の空冷機構。
【請求項４】
前記モータを予め設定された角度だけ回動させる制御を行う駆動部を具備することを特徴とする請求項１から請求項３までのいずれか１項に記載の空冷機構。
【請求項５】
前記冷却風は、冷却ファンによって生成され、
前記駆動部は、前記冷却ファンの積算運転時間に応じて前記制御を行うことを特徴とする請求項４に記載の空冷機構。
【請求項６】
冷却風を吸気口から導入させて電気機器内部を冷却する空冷方法であって、
前記電気機器の一面に回転軸を介して円板状のエアフィルタを回動自在に前記吸気口を覆って装着し、
前記冷却風を前記エアフィルタに導入させる開口部が設けられたフィルタ蓋で前記エアフィルタを覆い、
前記冷却風を前記開口部から導入させることを特徴とする空冷方法。
【請求項７】
前記エアフィルタを前記回転軸を介して予め設定された角度だけ回動させる動作を行うことを特徴とする請求項６に記載の空冷方法。
【請求項８】
前記冷却風を冷却ファンによって生成し、
前記冷却ファンの積算運転時間に応じて前記動作を行うことを特徴とする請求項７に記載の空冷方法。
【請求項９】
請求項１から請求項５までのいずれか１項に記載の空冷機構が組み込まれた電気機器であって、
前記電気機器の一面に前記エアフィルタが装着されるエアフィルタ収納口を具備し、
前記フィルタ蓋が装着された状態で前記一面は略平面形状とされることを特徴とする電気機器。
【請求項１０】
前記フィルタ蓋が装着された状態で、前記一面における前記フィルタ蓋の周囲に複数の脚部が設けられたことを特徴とする請求項９に記載の電気機器。
【請求項１１】
プロジェクタであることを特徴とする請求項９又は１０に記載の電気機器。
【発明の詳細な説明】
【技術分野】
【０００１】
本発明は、冷却風を利用して発熱部の冷却を行う空冷機構、空冷方法、及びこれが用いられる電気機器の構造に関する。また、この電気機器として、特にプロジェクタに関する。
【背景技術】
【０００２】
例えば、液晶プロジェクタに代表されるプロジェクタには、高輝度の光源として水銀ランプが用いられる。水銀ランプは使用時に発生する熱量が大きいため常に冷却されて使用される。また、液晶パネル等も発熱に起因する特性の劣化を生ずるため、やはり冷却して使用される。この冷却方式としては、冷却ファンによって発生させた冷却風を用いる空冷機構が広く用いられている。
【０００３】
一般に、プロジェクタが用いられる環境は様々であるが、埃の多い環境においては、冷却ファンが埃を巻き込み、プロジェクタ内部に埃を侵入させて機器に悪影響を発生させることがある。従って、これを抑制するために、一般にはこの空冷機構における空気取り入れ口においてエアフィルタが設けられている。ただし、使用しているうちにエアフィルタは埃によって目詰まりし、冷却効率が低下するために、利用者が定期的にこれを交換することが必要である。
【０００４】
この交換作業を容易にした構成は各種提案されており、その一例が特許文献１に記載されている。この技術においては、外装ケースに凹状のエアフィルタ収納部を設け、この中にエアフィルタを収納した上で蓋を設け、このエアフィルタ収納部と蓋の構成を最適化することにより、エアフィルタの交換を容易にしている。
【０００５】
また、非特許文献１においては、ロール式のエアフィルタを一面に設け、プロジェクタが自動的にこのエアフィルタをスクロールする構成の空冷機構を設けたプロジェクタが記載されている。この構成においては、プロジェクタが自動的にエアフィルタをスクロールし、利用者はエアフィルタを１ロール分使い切った後でこれを交換する。従って、この交換作業の頻度は大幅に低減される。これにより、特に利用者の手の届きにくい箇所に設置されたプロジェクタの利便性が図られた。
【０００６】
【特許文献１】特開２００４−１０９７８１号公報
【非特許文献１】松下電器ＨＰ、「ＡＶ・ＰＣソリューション／防塵対策」、平成２０年４月２３日検索、インターネット（URL：http://panasonic.biz/projector/fw100nt/page1.html）
【発明の開示】
【発明が解決しようとする課題】
【０００７】
しかしながら、特許文献１に記載の技術においては、利用者が定期的にエアフィルタの交換をする必要があり、利便性は必ずしも向上してなかった。
【０００８】
また、非特許文献１に記載の技術においては、エアフィルタのスクロールが自動的に行われるため、利便性は向上しているが、エアフィルタの両端にロール機構が必要であるため、これを設置したプロジェクタの小型化が困難であった。あるいは、プロジェクタを小型化した場合には充分なエアフィルタ面積を確保することが困難であり、冷却効率の低下やロール毎のエアフィルタの交換頻度が高くなった。
【０００９】
従って、空冷機構が組み込まれた電気機器においてエアフィルタの交換の利便性を向上し、かつ電気機器を小型化することは困難であった。
【００１０】
本発明は、斯かる問題点に鑑みてなされたものであり、上記問題点を解決する発明を提供することを目的とする。
【課題を解決するための手段】
【００１１】
本発明は、上記課題を解決すべく、以下に掲げる構成とした。
本発明の空冷機構は、冷却風を吸気口から導入させて電気機器内部を冷却する空冷機構であって、前記電気機器の一面に回転軸を介して回動自在に前記吸気口を覆って装着される円板状のエアフィルタと、前記装着されたエアフィルタを覆い、かつ前記冷却風を前記エアフィルタに導入させる開口部が設けられたフィルタ蓋と、を具備することを特徴とする。
本発明の空冷機構において、前記エアフィルタにおけるエアフィルタエレメントはプリーツ状に形成されていることを特徴とする。
本発明の空冷機構は、前記回転軸を介して前記エアフィルタを回動させるモータを具備することを特徴とする。
本発明の空冷機構は、前記モータを予め設定された角度だけ回動させる制御を行う駆動部を具備することを特徴とする。
本発明の空冷機構において、前記冷却風は、冷却ファンによって生成され、前記駆動部は、前記冷却ファンの積算運転時間に応じて前記制御を行うことを特徴とする。
本発明の空冷方法は、冷却風を吸気口から導入させて電気機器内部を冷却する空冷方法であって、前記電気機器の一面に回転軸を介して円板状のエアフィルタを回動自在に前記吸気口を覆って装着し、前記冷却風を前記エアフィルタに導入させる開口部が設けられたフィルタ蓋で前記エアフィルタを覆い、前記冷却風を前記開口部から導入させることを特徴とする。
本発明の空冷方法は、前記エアフィルタを前記回転軸を介して予め設定された角度だけ回動させる動作を行うことを特徴とする。
本発明の空冷方法は、前記冷却風を冷却ファンによって生成し、前記冷却ファンの積算運転時間に応じて前記動作を行うことを特徴とする。
本発明の電気機器は、前記空冷機構が組み込まれた電気機器であって、前記電気機器の一面に前記エアフィルタが装着されるエアフィルタ収納口を具備し、前記フィルタ蓋が装着された状態で前記一面は略平面形状とされることを特徴とする。
本発明の電気機器において、前記フィルタ蓋が装着された状態で、前記一面における前記フィルタ蓋の周囲に複数の脚部が設けられたことを特徴とする。
本発明の電気機器は、プロジェクタであることを特徴とする。
【発明の効果】
【００１２】
本発明は以上のように構成されているので、空冷機構が組み込まれた電気機器においてエアフィルタの交換の利便性を向上し、かつ電気機器を小型化することができる。
【発明を実施するための最良の形態】
【００１３】
以下、本発明を実施するための最良の形態となる空冷機構及びその動作（空冷方法）について説明する。この空冷機構は、冷却風を吸気口から導入させて電気機器内部を冷却する。この空冷機構においては、回転軸を介して回動自在に吸気口を覆って装着される円板状のエアフィルタと、装着されたこのエアフィルタを覆い、かつ冷却風をこのエアフィルタに導入させる開口部が設けられたフィルタ蓋が用いられる。ここでは、この空冷機構がプロジェクタに組み込また例につき説明する。
【００１４】
この空冷機構が組み込まれたプロジェクタ１０の透視側面図（ａ）、透視底面図（ｂ）を図１に示す。このプロジェクタ１０の内部には、水銀ランプや液晶パネル、各種のレンズや偏光板等の光学系が設置され、筐体１１の側面に設けられた投射レンズ２０からこの出力光が出射される。水銀ランプ等は、筐体１１の内部に設けられた後述する冷却ファンによって生成された冷却風によって冷却される。
【００１５】
筐体１１の底面には３つの脚部１３が設けられる。このため、このプロジェクタ１０が設置される際には、その底面とこれが設置された面との間に所定の間隔が保たれる。
【００１６】
この底面の内側には、図１（ａ）（ｂ）に示されるように円形のエアフィルタ３０が設けられ、その中心において回転軸３１を介して回動自在に固定され、回転軸３１にはモータ４０が接続される。モータ４０は、例えばステッピングモータであり、その回転角度が制御されて動作する。この構成により、エアフィルタ３０は図１（ｂ）に示される矢印の方向に回動する構成となっている。また、底面においては円形の１／４の形状の扇形の開口部３２１が設けられたエアフィルタ蓋３２が、エアフィルタ３０の円周部と開口部３２１の円弧部とが重なった状態で設けられ、この開口部３２１においてエアフィルタ３０が底面で露出した形態となっている。なお、ここでは説明の便宜上開口部３２１を扇状の形状としているが、後述するように、扇状の中にメッシュ状又は格子状に開口が設けられた形状であることが好ましい。このプロジェクタ１０が設置される面と底面の間には複数の脚部１３によって所定の間隔が設けられるため、開口部３２１は後述する冷却ファンによって生成される冷却風の取り入れ口となる。
【００１７】
また、図１（ｂ）において、エアフィルタ３０におけるａ−ａ方向の断面図が右側に拡大して示されている。このエアフィルタ３０においては、エアフィルタエレメント３０１がプリーツ（ヒダ）状となっており、図中下側ではエアフィルタ支持面３３、上側ではエアフィルタ蓋３２によって保持されている。エアフィルタエレメント３０１をこの形状とすることにより、その実効面積を大きくし、このエアフィルタエレメント３０１が目詰まりするまでの使用時間を長くすることができる。
【００１８】
図２は、このプロジェクタ１０の構成を示す図である。このプロジェクタ１０においては、各種のレンズや偏光板等の光学系からなる光学ユニット５０が光学信号を形成するために用いられ、その出力光が投射レンズ２０から拡大投影されることによって画像が形成される。この光学ユニット５０、光源となる水銀ランプ（図示せず）等は使用に際して発熱する。これらの冷却のために、空冷機構１５が設けられる。この空冷機構１５においては、冷却ファン６０が設けられ、冷却ファン６０は冷却系駆動部（駆動部）７０によってそのオンオフや回転数が制御される。また、前記のモータ４０もこの冷却系駆動部（駆動部）７０で制御され、前記の通りその回転角度が制御されることによって、予め設定された角度だけエアフィルタ３０が回動する。冷却系駆動部（駆動部）７０にはタイマー６１が接続されており、新品のエアフィルタ３０が設置されてからの冷却ファン６０の積算運転時間をカウントする。冷却系駆動部７０は、この積算時間に応じてモータ４０に上記の動作を行わせる。なお、以上の構成要素に電力を供給する電源８０が設けられている。
【００１９】
このエアフィルタ３０の外観斜視図を図３に示す。このエアフィルタ３０は、環状のフィルタ外枠３０２の中に前記のプリーツ状のエアフィルタエレメント３０１が組み込まれて構成される。フィルタ外枠３０２は金属や樹脂で構成され、エアフィルタエレメント３０１を機械的に支持する。エアフィルタエレメント３０１は、紙や不織布等の繊維質の材料で構成され、冷却風の生成に際して吸気された埃はここに吸着される。
【００２０】
このプロジェクタ１０において、エアフィルタ３０等を取り付ける際の形態を示したのが図４（ａ）〜（ｃ）である。なお、この図においては、前記の開口部３２１の形状を図１とは異なった扇形中の格子状の形状としている。
【００２１】
図４（ａ）はこの際の形態をプロジェクタ１０の底面側から見た図である。このプロジェクタ１０においては、筐体１１の底面にはエアフィルタ３０の形状に嵌合する形状のエアフィルタ収納口１２が設けられている。エアフィルタ収納口１２の底面（プロジェクタ１０が設置される際の上面）は前記のエアフィルタ支持面３３となっており、その面には扇形中の格子状の形状の本体吸気口（吸気口）１４が設けられており、冷却風はここからプロジェクタ１０内部に導入され、光学ユニット５０等を冷却する。
【００２２】
図４（ｂ）はこのエアフィルタ収納口１２にエアフィルタ３０を取り付けた後の形態である。エアフィルタ３０は回転軸３１にその中心部が固定され、回転軸３１の回転に伴ってエアフィルタ３０も回動する構成とされる。この固定方法としては、ネジ等を用いること、溝に嵌合させること等の任意の方法が用いられる。これにより、エアフィルタ３０は本体吸気口（吸気口）１４を覆う形態で装着される。なお、この際には、エアフィルタ３０の表面と、筐体１１の底面におけるエアフィルタ収納口１２以外の面とが略同一平面上となる。この構成により、エアフィルタ蓋３２を取り付けることが容易となる。
【００２３】
エアフィルタ蓋３２には本体吸気口１４と同様の形状の開口部３２１が設けられている。このエアフィルタ蓋３２は、開口部３２１と本体吸気口１４とが重なるようにこの底面においてエアフィルタ３０上に取り付けられる。冷却風は開口部３２１からエアフィルタ収納口１２内のエアフィルタ３０に導入され、更に本体吸気口１４からプロジェクタ１０内部に導入される。図４（ｃ）はエアフィルタ蓋３２を取り付けた状態の底面を示す斜視図である。この状態でエアフィルタ蓋３２とエアフィルタ収納口１２が嵌合するように、それぞれに凹部、凸部を設けておくことが好ましい。エアフィルタ蓋３２の筐体１１の底面への固定は、ビス止め等、任意の方法で行われる。
【００２４】
なお、このプロジェクタ１０は、エアフィルタ蓋３２が取り付けられた状態で、前記の底面を下側にして、設置面上に図４（ｄ）に示す形態で置いて用いられる。この際、３つの脚部１３が存在するため、底面（開口部３２１）とこの設置面との間には空隙が存在する。従って、プロジェクタ１０内の冷却ファン６０を回転させることにより、冷却風がこの空隙から開口部３２１、エアフィルタ３０（エアフィルタエレメント３０１）、本体吸気口１４を通ってプロジェクタ１０内部に導入される。この冷却風によって光学ユニット５０等が冷却され、排気口（図示せず）から冷却風が排出される。
【００２５】
この際、冷却風と共に開口部３２１から入った埃は、エアフィルタエレメント３０１に吸着されるため、プロジェクタ１０内部に入ることが抑制される。この状態におけるエアフィルタ３０の状態を透視図として示したのが図５（ａ）である。エアフィルタ３０が新品の状態（図５（ａ））においては、冷却系駆動部７０に接続されたタイマー６１はリセットされた状態とされる。
【００２６】
長時間の使用後には、多くの埃がエアフィルタエレメント３０１に吸着され、エアフィルタエレメント３０１が目詰まりし、冷却風が透過しにくくなり、冷却効率が低下する。この状態を透視図として示したのが図５（ｂ）である。図５（ｂ）に示されるように、エアフィルタエレメント３０１のうち、開口部３２１に対応する部分は目詰まりした状態（目詰まり部３０３）となる。
【００２７】
このプロジェクタ１０においては、冷却系駆動部７０がタイマー６１を参照して、ある設定時間を経過した場合には、モータ４０を９０°回転させる。ここで、この設定時間は、このプロジェクタ１０が設置された環境に応じて、このエアフィルタエレメント３０１が目詰まりする時間に対応して予め設定される。すなわち、埃の多い環境ではこの時間は短く、埃の少ない環境では長く設定される。従って、この動作によって、図５（ｃ）その透視図を示すように、エアフィルタエレメント３０１の目詰まりしていない部分が開口部３２１の箇所に移動する。従って、冷却効率の高い状態が自動的に維持される。
【００２８】
冷却系駆動部７０におけるこの動作を示すフローチャートが図６である。まず、新品のエアフィルタ３０が図３に示されるようにセットされた場合（Ｓ１）に、このエアフィルタ３０を９０°回転させる動作が行われた動作回数Ｎをリセット、すなわちＮ＝０に設定し、記憶する（Ｓ２）。次に、冷却系駆動部７０に接続されたタイマー６１をリセットする、すなわち、冷却ファン６０の積算運転時間を零に設定する（Ｓ３）。これらの動作は利用者がリセットスイッチを押すことによって行われる設定としてもよく、エアフィルタ蓋３２が図３（ｃ）のようにセットされる際にリセットスイッチが押されて自動的にリセットされる設定としてもよい。
【００２９】
以降は、冷却ファン６０の積算運転時間がタイマー６１によって計測される（Ｓ４）。この積算時間が前記の設定時間に達した場合（Ｓ５のＹＥＳ）、冷却系駆動部７０は、図５（ｃ）に示されるように、モータ４０を９０°回転させる（Ｓ６）。これにより、エアフィルタエレメント３０１の目詰まりしていない部分が開口部３２１の箇所に移動する。また、動作回数Ｎに１を加算する（Ｓ７）。
【００３０】
ここで、Ｎが４を越えていなければ（Ｓ８のＹＥＳ）、再びタイマー６１がリセットされ（Ｓ３）、再び積算運転時間が計測され（Ｓ４）、以降の動作が同様に繰り返される。
【００３１】
ここで、エアフィルタエレメント３０１の目詰まりした箇所が４箇所となった場合には、動作回数Ｎ＝５となり、Ｎが４を越えるため（Ｓ８のＮＯ）、このエアフィルタエレメント３０１は全周にわたって目詰まりした状態となる。従って、この場合にはエアフィルタ交換アラームのランプ（図示せず）を点灯させる等の方法により、利用者にその旨を伝える（Ｓ９）。利用者は、これを見て新品のエアフィルタ３０を準備し、交換を行う（Ｓ１）。
【００３２】
以上の動作により、このプロジェクタ１０においては、エアフィルタエレメント３０１における目詰まりしていない箇所が常時用いられるため、常に高い冷却効率が得られる。また、この動作は自動的に行われるため、例えばこのプロジェクタ１０が利用者の手の届きにくい場所に設置された場合でも、エアフィルタ３０の交換の頻度を少なくすることができるため、利便性が向上する。
【００３３】
また、この構成においては、円板状のエアフィルタ３０が用いられるため、これをプロジェクタ１０の平面状の底面に埋め込んだ形態（図４（ｂ）（ｃ））とすることが容易である。特に、エアフィルタ３０が円板状であるために、これを図１に示されるようにプリーツ状とし、その実効面積を大きくすることができる。また、上記の動作を実現するために、その中心に回転軸３１及びモータ４０が設けられるが、これらの占める体積は図１に示されるように、小さい。エアフィルタ３０の交換作業は利用者により行われるが、その作業は図３に示されたように、容易である。すなわち、エアフィルタ交換の利便性が高い。
【００３４】
一方、前記の非特許文献１に記載の技術においても、エアフィルタエレメントの目詰まりしていない箇所が常時適切に用いられ、冷却効率が高く維持されるという点においては同様である。しかしながら、エアフィルタエレメントをロールで巻き込む形態とするため、例えばこれをプリーツ状としてその実効面積を大きくすることが困難である。また、この構成の場合には両端にローラが必要であり、これらの占める体積が大きくなる。従って、これを組み込んだ電気機器を小型化することが困難である。
【００３５】
これに対して、上記の構成のエアフィルタ３０等は平面上の底面をもったプロジェクタ１０に組み込むことが特に容易であり、かつ、同様に高い冷却効率を維持することができる。また、エアフィルタ交換の頻度が少なくなり、かつその交換の利便性が高い。
【００３６】
なお、上記の形態において、１回の動作でモータ４０を９０°回転させる設定としたが、これに限られるものではない。例えばこの角度を４５°とし、Ｓ８においてＮを８以下の範囲で用いる設定としてもよい。この場合、開口部３２１と本体吸気口１４の形状を中心角４５°の扇形、あるいはこの扇形の中にメッシュ状や格子状の開口部を設けた形状とすればよい。他にもこの角度の設定は任意とすることができる。また、前記の通り、この開口部の形状は任意である。
【００３７】
また、図６においては、Ｎ＝５（Ｎ＞４）となった場合（Ｓ８のＹＥＳ）、すなわちエアフィルタエレメント３０１が全周にわたって目詰まりした状態となった場合に交換アラームを点灯させる（Ｓ９）設定としたが、これに限られるものではない。例えば、Ｎ＝４となった場合にアラームを点灯させる設定としてもよい。この場合にはまたエアフィルタエレメント３０１に目詰まりしていない箇所（１／４）が残っているが、予め利用者に注意を喚起することができる。
【００３８】
また、上記の例では、エアフィルタエレメント３０１をプリーツ状として実効面積を大きくしていたが、これに限られるものではない。例えばこれを単純な平面形状としてもよく、この場合にはエアフィルタ３０を薄くできるため、プロジェクタ等への組み込みが更に容易となる。
【００３９】
また、上記の例では、エアフィルタ３０等をプロジェクタの底面に組み込み、かつ脚部１３を設けた形態としたが、これに限られるものではなく、円板状のエアフィルタ３０が設置できる略平面状の面であれば、任意である。この場合、開口部から冷却風を導入できる構成であれば、エアフィルタ３０が組み込まれた面（開口部の設けられた面）に脚部を設ける必要はない。
【００４０】
また、上記の例では、冷却ファン６０の積算運転時間を常時モニターし、これに応じてモータ４０を回転させる構成としたが、例えばこの動作をこのプロジェクタ１０の電源オン時、あるいはオフ時に自動的に行う設定としてもよい。この場合には、プロジェクタ使用中に動作中にモータが動作することがないため、これによるノイズが使用中に発生せず、特に良好な画像／音声を出力することができる。
【００４１】
また、モータ４０を設けず、利用者がフィルタ３０を回転軸３１を中心にして手動で回動させる構成としてもよい。この場合には、前記のフローチャート（図５）においては、設定時間に達した場合（Ｓ５のＹＥＳ）には、警告を表示させ、利用者がこれを見て手動でこれを回動させる構成とすればよい。この場合には、モータ４０が不要となるため、更にこの空冷機構をプロジェクタに組み込むことが容易となる。
【００４２】
また、上記の例ではこの空冷機構がプロジェクタに組み込まれた例につき記載したが、冷却ファン等を用いた空冷手段が用いられる電気機器であれば、同様にこの空冷機構を用いることができることは明らかである。特に、電気機器が略平面状の一面を具備していれば、この空冷機構を容易に組み込むことができるため、好ましくこれを組み込むことができる。
【図面の簡単な説明】
【００４３】
【図１】本発明の実施の形態となる空冷機構が組み込まれたプロジェクタの透視側面図（ａ）、透視底面図（ｂ）である。
【図２】本発明の実施の形態となる空冷機構が組み込まれたプロジェクタの構成を示す図である。
【図３】本発明の実施の形態となる空冷機構が組み込まれたプロジェクタにおいて用いられるエアフィルタの外観斜視図である。
【図４】本発明の実施の形態となる空冷機構が組み込まれたプロジェクタにおけるエアフィルタ等を取り付ける際の形態を示す図である。
【図５】本発明の実施の形態となる空冷機構が組み込まれたプロジェクタの使用時のエアフィルタの状況を示す透視図である。
【図６】本発明の実施の形態となる空冷機構における動作を示すフローチャートである。
【符号の説明】
【００４４】
１０  プロジェクタ
１１  筐体
１２   エアフィルタ収納口
１３  脚部
１４  本体吸気口（吸気口）
１５  空冷機構
２０  投射レンズ
３０  エアフィルタ
３１  回転軸
３２  フィルタ蓋
３３  エアフィルタ支持面
４０  モータ
５０  光学ユニット
６０  冷却ファン
６１  タイマー
７０  冷却系駆動部（駆動部）
８０  電源
３０１  エアフィルタエレメント
３０２  フィルタ外枠
３０３  目詰まり部
３２１  開口部
【図１】
2009277974.tif 000003
【図２】
2009277974.tif 000004
【図３】
2009277974.tif 000005
【図４】
2009277974.tif 000006
【図５】
2009277974.tif 000007
【図６】
2009277974.tif 000008